(57)【要約】【課題】  安価でかつ品位低下の少ないカメラのドット式データ写しこみ機能を実現する。【解決手段】  フィルム上へデータを写し込む機能を備えたカメラにおいて、フィルム給送に連動して点灯しフィルム上へデータを写し込む複数の発光素子を有した発光群と、該写し込み用発光部の発光光をフィルム上に結像させるための写し込み光学系を有し、該複数の発光素子は、各々が該写し込み光学系を介してフィルム上の結像状態がほぼ一定の大きさになるように、写し込み用光学系のボケ量が大きい部分には、写し込み用光学系のボケ量が小さい部分の発光素子に比べて小さめの発光素子を使用することを特徴とするデータ写し込み機能付きカメラ。【選択図】  図５
2005140829.tif 000002
【特許請求の範囲】
【請求項１】
フィルム上へデータを写し込む機能を備えたカメラにおいて、フィルム給送に連動して点灯しフィルム上へデータを写し込む複数の発光素子を有した発光群と、該写し込み用発光部の発光光をフィルム上に結像させるための写し込み光学系を有し、
該複数の発光素子は、各々が該写し込み光学系を介してフィルム上の結像状態がほぼ一定の大きさになるように、写し込み用光学系のボケ量が大きい部分には、写し込み用光学系のボケ量が小さい部分の発光素子に比べて小さめの発光素子を使用することを特徴とするデータ写し込み機能付きカメラ。
【請求項２】
フィルム上へデータを写し込む機能を備えたカメラにおいて、フィルム給送に連動して点灯しフィル上ムへデータを写し込む複数の発光素子を有した発光群と、該写し込み用発光部の発光光をフィルム上に結像させるための写し込み光学系を有し、
該複数の発光素子は、各々が該写し込み光学系を介してフィルム上の結像状態がほぼ一定の大きさになるように、該発光群とフィルム結像部の間には、写し込み用光学系のボケ量が大きい部分（フィルム結像のボケが大きい部分）の余分な光を遮るマスクを設けることを特徴とするデータ写し込み機能付きカメラ。
【請求項３】
上記請求項１乃至請求項２において、フィルム上の結像状態でボケが大きい発光素子については、ボケが小さい部分に配設されている発光素子より輝度を上げることを特徴とするデータ写し込み機能付きカメラ。
【請求項４】
上記請求項１乃至請求項２において、フィルム上の結像状態でボケが大きい発光素子については、ボケが少ない部分に配設されている発光素子より写し込み時の点灯時間を長くすることを特徴とするデータ写し込み機能付きカメラ。
【請求項５】
フィルム上へデータを写し込む機能を備えたカメラにおいて、
フィルム給送に連動して点灯しフィルム上へデータを写し込む複数の光源と、前記光源から発せられた光をフィルム上に結像させる光学系とを有し、
前記複数の光源は、前記光学系のボケ量に応じて大きさが異なることを特徴とするカメラ。
【発明の詳細な説明】
【技術分野】
【０００１】
本発明は、データ写し込み機能を備えたカメラ、特に給送に連動したドッ
ト方式のデータ写し込み機能付きカメラに関するものである。
【背景技術】
【０００２】
近年、カメラは、フィルム上へ日付等のデータを写し込む機能を備えたものが一般的となっている。
【０００３】
特に、データ写し込み用光学系を介して、フィルム給送方向に直行する位置に露光可能な複数の発光素子（主にＬＥＤ）を備え、フィルム給送に連動して発光素子を適宜発光することで、フィルム上に、あらゆる文字を露光することを可能としたドット方式のデータ写し込み機能も一般化している。
【０００４】
該ドット方式データ写し込み機能に関しては、数字以外の文字も構成上作りやすいため、メッセージ等を写し込むことができること、また、フォントデータによって発光素子を発光させるか否かを決めるため、発光部もしくは光学系を変える（切り換える）ことで、いろいろなカメラに機能流用することや撮影画角変更（トリミング）に対するサイズ変更等も容易に出来るメリットがある。
【０００５】
例えば、特許文献１には、トリミングサイズに対応して適切な大きさでの写し込みがなされるように、トリミングサイズに応じた発光光源を設定（トリミング時に使用する発光光源と、ノーマル時に使用する発光光源を備え、拡大倍率が上がるトリミング時に使用する中心部はノーマル時に使用する発光部よりサイズを小さく、且つ、発光素子間隔を短くする）ことで、プリント時のデータ写し込みサイズが適正になるような工夫がなされている。
【０００６】
該ドット方式データ写し込み機能に使用される発光部は、複数のＬＥＤを同一基板上もしくは同一パッケージ上に配設した小型ＬＥＤアレイを使用するのが一般的であり、該小型ＬＥＤアレイは小型であるというメリットがあるが、その反面、高価であるという難点があった。
【０００７】
そのため、汎用の発光素子（チップＬＥＤ等）を複数実装して発光群とする方法が考えられるが、小型ＬＥＤアレイに比べ、汎用発光素子の複数実装は必要スペースが大きくなることが必須であり、それに伴い、写し込み用光学系も形状が大きなものとならざるを得ない。
【特許文献１】実開平６−５９８４８号公報
【発明の開示】
【発明が解決しようとする課題】
【０００８】
しかしながら、写し込み用光学系が大きくなると、必然的に光学系の中心と周辺のボケ量が異なってくるため、フィルム面上での写し込み解像度が、ピントの合っている部分とボケている部分とで大きく異なり、写し込まれたデータの文字品位が著しく悪いものとなってしまう。
【０００９】
例えば、図９に示すように、図９（ａ）のような理想的なピント精度の写し込み光学系でフィルム面上に写し込まれた場合には全てのドットが同サイズ・同輝度で写し込まれるのに対し、周辺ボケが大きな光学系で写し込みを行なった場合は、図９（ｂ）のようにピントの合っている中心部のドットに対し周辺がボケてフィルム面上ではサイズ・輝度共に不均一な写し込みになってしまう。
【００１０】
このサイズ・輝度不均一な状態で写し込みが行なわれた場合、図６（ａ）のように品位の悪い写し込みデータとなってしまう。
【００１１】
該写し込み用光学系のボケ量緩和のために、特開平７−２９５０６８では写し込み光学系に非球面レンズを設けることが提案されているが、該非球面レンズは高価であり、形状が大きくなることで精度保持も困難になる。
【００１２】
本発明の目的は、安価で、且つ、品位低下の少ないドット方式写し込み機能を実現するものである。
【課題を解決するための手段】
【００１３】
上記問題を鑑みて、本発明は、フィルム上へデータを写し込む機能を備えたカメラにおいて、フィルム給送に連動して点灯しフィルム上へデータを写し込む複数の発光素子を有した発光群と、該写し込み用発光部の発光光をフィルム上に結像させるための写し込み光学系を有し、該複数の発光素子は、各々が該写し込み光学系を介してフィルム上の結像状態がほぼ一定の大きさになるように、写し込み用光学系のボケ量が大きい部分には、写し込み用光学系のボケ量が小さい部分の発光素子に比べて小さめの発光素子を使用することを特徴とする。
【００１４】
また、フィルム上へデータを写し込む機能を備えたカメラにおいて、フィルム給送に連動して点灯しフィルム上へデータを写し込む複数の発光素子を有した発光群と、該写し込み用発光部の発光光をフィルム上に結像させるための写し込み光学系を有し、該複数の発光素子は、各々が該写し込み光学系を介してフィルム上の結像状態がほぼ一定の大きさになるように、該発光群とフィルム結像部の間には、写し込み用光学系のボケ量が大きい部分（フィルム結像のボケが大きい部分）の余分な光を遮るマスクを設けることを特徴とする。
【００１５】
さらに、フィルム上の結像状態でボケが大きい発光素子については、ボケが少ない部分に配設されている発光素子より輝度を上げることを特徴とする。
【００１６】
また、フィルム上の結像状態でボケが大きい発光素子については、ボケが少ない部分に配設されている発光素子より写し込み時の点灯時間を長くすることを特徴とする。
【００１７】
さらにまた、フィルム上へデータを写し込む機能を備えたカメラにおいて、フィルム給送に連動して点灯しフィルム上へデータを写し込む複数の光源と、前記光源から発せられた光をフィルム上に結像させる光学系とを有し、前記複数の光源は、前記光学系のボケ量に応じて大きさが異なることを特徴とするカメラ。
【発明の効果】
【００１８】
以上説明したとおり、本発明は、フィルム上へデータを写し込む機能を備えたカメラにおいて、フィルム給送に連動して点灯しフィルム上へデータを写し込む複数の発光素子を有した発光群と、該写し込み用発光部の発光光をフィルム上に結像させるための写し込み光学系を有し、該複数の発光素子は、各々が該写し込み光学系を介してフィルム上の結像状態がほぼ一定の大きさになるように、写し込み用光学系のボケ量が大きい部分には、写し込み用光学系のボケ量が小さい部分の発光素子に比べて小さめの発光素子を使用すること、
また、フィルム上へデータを写し込む機能を備えたカメラにおいて、フィルム給送に連動して点灯しフィルム上へデータを写し込む複数の発光素子を有した発光群と、該写し込み用発光部の発光光をフィルム上に結像させるための写し込み光学系を有し、該複数の発光素子は、各々が該写し込み光学系を介してフィルム上の結像状態がほぼ一定の大きさになるように、該発光群とフィルム結像部の間には、写し込み用光学系のボケ量が大きい部分（フィルム結像のボケが大きい部分）の余分な光を遮るマスクを設けること、
さらに、フィルム上の結像状態でボケが大きい発光素子については、ボケが少ない部分に配設されている発光素子より輝度を上げること、
また、フィルム上の結像状態でボケが大きい発光素子については、ボケが少ない部分に配設されている発光素子より写し込み時の点灯時間を長くすることにより、安価で、且つ、品位の良いドット方式のデータ写し込み機能付きカメラを供給することができる。
【発明を実施するための最良の形態】
【００１９】
【実施例１】
【００２０】
本発明の第１の実施例を図１乃至図６を用いて説明する。図１は本発明の第１の実施例におけるカメラの主要部分の回路ブロック図である。
【００２１】
該図１において、1はカメラの電源電池、２はカメラの各種動作を制御するマイクロコンピュータ等の制御回路であり、内部に各種データや写し込み用の文字データ（フォント）を記憶するためのメモリーＭや、日付カウント用のタイマーＴ等を備える。
【００２２】
３は写真撮影動作を開始させるためのレリーズスイッチであり、該レリーズスイッチ３がＯＮされた場合に、制御手段２により撮影シーケンスの制御が行なわれる。４は暗所での撮影時に発光するストロボ手段、５は被写体の明るさを測定する周知の測光手段（以後、ＡＥ手段と称する）、６は被写体までの距離を測定する周知の測距手段（以後、ＡＦ手段と称する）、７はフィルムＦへの露光制御を行なう周知のシャッター手段（以後、ＳＨ手段と称する）である。
【００２３】
８はフィルムＦを所定位置に動かす周知のフィルム給送手段であり、該フィルムＦの所定量を検知するフィルム位置検出手段８−１（本実施例では、フィルムＦのパーフォレーションＰを検出するフォトリフレクタＰＲ）の出力によってフィルムの移動量および所定位置の認識を行い、フィルム給送手段８の制御が行われる。
【００２４】
９は日付情報等をフィルムＦに写し込むための複数の発光素子（本実施例ではＬＥＤ）を備えた発光群（本実施例では７つのＬＥＤ）であるところのＬＥＤ群であり、該ＬＥＤ群９は、フィルム給送手段８がフィルムＦの給送動作中に発生するフォトリフレクタＰＲのパーフォレーションＰの信号を基に制御手段２が発生させる発光タイミングパルスに応じて、発光・非発光を変え、フィルムＦ上に文字として露光するものである。
【００２５】
また、該ＬＥＤ群９の７つのＬＥＤ（ＬＥＤ１乃至ＬＥＤ７）は、図５（ａ）に示すように、写し込み用光学系の周辺ボケに応じてサイズが異なるＬＥＤが使用されている。
【００２６】
本発明第１の実施例では、写し込み光学系Ｌの中心がピント精度がよく周辺がボケ量が大きい前提で、周辺にあたるＬＥＤ１・ＬＥＤ２およびＬＥＤ６・ＬＥＤ７が、中心にあたるＬＥＤ３・ＬＥＤ４・ＬＥＤ５よりも小さいサイズに設定されているが、本発明はこの配列に特定したものではなく、例えば、周辺のピントが良く中心部がピントがあまい（ボケが大きい）場合は中心部のＬＥＤのサイズを小さくすることも、片ボケ（片端にピントが合い、徐々にピントがあまくなる）の光学系を使用するものにおいて、ピント精度のいい端のＬＥＤから徐々にサイズを小さくすることも何ら問題とするものではない。
【００２７】
該ＬＥＤ群９のサイズ設定でフィルムＦ上に写し込まれるドットの状態は、図５（ｂ）に示すとおり、各ドットがほぼ一定の大きさとなる。１０はカメラのモード状態や撮影可能枚数・日付・写し込みデータ・トラブル状況の警告等に使用されるＬＣＤ・ＬＥＤ等の周知の表示手段である。
【００２８】
図２は本発明の第１の実施例におけるカメラの概略構成図であり、Ａは撮影される画角であるところのアパーチャ、Ｓはフィルム給送手段８により駆動するフィルム巻き上げ用のスプール、Ｆはフィルム、Ｐはフィルムに一定間隔で存在するパーフォレーション、９は前述のＬＥＤ群であり、該ＬＥＤ群の発光光は、データ写し込み用光学系であるＬを介してフィルムＦ上に結像する。
【００２９】
図３は本発明の第１の実施例におけるカメラのシーケンスフローチャートであり、図３はレリーズスイッチ３がＯＮされた場合の制御回路２のシーケンスを示す。
【００３０】
Ｓ１０１は、該ＡＥ手段５により、周知の測光方法で被写体の明るさ：ＡＥを測定する。
Ｓ１０２は、該ＡＦ手段６により、周知の測距方法で被写体の距離を測定する。Ｓ１０３は、Ｓ１０１で測定した測光結果およびＳ１０２で測定した測距結果を基に、適正のピント・シャッター速度・ストロボ発光有無・ストロボ制御タイミング等の露光条件を求める演算を行なう。
【００３１】
なお、該Ｓ１０３では、適正露光を得るためにストロボ発光させる必要がある場合は、該制御回路２内のメモリーの所定エリアにストロボ発光指示用のストロボ発光フラグを設定する。
【００３２】
Ｓ１０４は、上記Ｓ１０３で求めた露光条件に基づき該ＳＨ手段７の制御を行なう周知の露光動作を行なう。該Ｓ１０４では、上記Ｓ１０３で該ストロボ発光フラグが設定されている場合、ストロボ発光による露光動作を行なう。
【００３３】
Ｓ１０５は、該給送手段８により、フィルムＦを移動させる（次の露光コマを不図示のアパーチャー位置に設定する）給送動作を開始する。Ｓ１０６は、フィルムＦの給送に伴って発生するパーフォレーション信号を基にＬＥＤ群の点灯信号を発生し、フィルムＦへのデータ写し込みを行う。
【００３４】
該ＬＥＤ群の点灯信号例を図４に示す。ＬＥＤ群９の各々のＬＥＤは、撮影画面中央側から順にＬＥＤ１・ＬＥＤ２・・・ＬＥＤ７と配置され、各ＬＥＤは独立した制御信号で制御される。
【００３５】
フォトリフレクタＰＲが検出するパーフォレーションＰの信号：ＴｐによりパーフォレーションＰの移動距離に対してのフィルム移動速度を計算し、その速度に応じたＬＥＤ点灯周期：Ｔｄに基づいて各ＬＥＤの点灯信号を発生する。
【００３６】
ＬＥＤ点灯周期：Ｔｄ中のＬＥＤ点灯時間：Ｔｆはフィルム感度等によって異なるが、本実施例上では各ＬＥＤの点灯時間は全て同じ時間となっている。また、点灯して写し込むデータ（フォント情報）は該制御回路１内のメモリーＭから読み出され、制御される。
【００３７】
Ｓ１０７は、該Ｓ１０４で給送開始してから、所定数のパーフォレーション信号（本実施例では８パルス）がきたか否かを判断し、きていればＳ１０８へ移行し、きていなければＳ１０７を繰り返す。
【００３８】
Ｓ１０８は所定数のパーフォレーション信号がきたとして該給送手段８を停止させる。
以上が、レリーズスイッチ３がＯＮされた場合の制御回路２のシーケンスである。
【００３９】
図６（ｂ）は本発明第１の実施例でのデータ写し込み状態の例である。従来方式で周辺ボケがある状態（図６（ａ））に比べ、周辺部のＬＥＤ１・ＬＥＤ２・ＬＥＤ６・ＬＥＤ７のサイズを小さくしたことにより、各ドットの大きさがほぼ一定となり、写し込まれた文字（データ）の品位が向上しているのがわかる。
【実施例２】
【００４０】
本発明の第２の実施例を図７に示す。本発明第２の実施例は、上記第１の実施例で説明したＬＥＤ群９の各ＬＥＤを写し込み光学系の周辺ボケに応じてサイズ変更するのではなく、各ＬＥＤ自体は同サイズでも、フィルム上にボケて大きくなってしまう部分を遮光するマスクを設定するものである。
【００４１】
該マスクはＬＥＤ群９乃至フィルムＦ間の写し込み経路（写し込み光学系内を含む）の中のどの部分に配設してもかまわないが、フィルムに近い部分に配設するのがより効果的である。
【００４２】
図７（ａ）のようにＬＥＤ群の各ＬＥＤの周辺ボケに相当する部分が遮光マスクによって小さめの間口になることで、フィルム上に透過されるＬＥＤ光はボケる部分を遮り、フィルム上の写し込み状態は図７（ｂ）に示すように、ほぼ一定の大きさになる。
【実施例３】
【００４３】
本発明の第３の実施例を図６及び図８に示す。本発明第１の実施例及び第２の実施例では、写し込み光学系の周辺ボケに応じてフィルム上の写し込みサイズがほぼ一定になるようにしたものだが、ボケが発生している部分に関しては、発光光が拡散しているため、写し込まれる照度もピントが合っている部分に比べ低照度（低輝度）となって、ムラがでてしまう。
【００４４】
そこで、本発明第３の実施例として、ＬＥＤ群９の各ＬＥＤのうち、ボケの大きい部分をボケの小さい部分のＬＥＤに比べて高輝度のものを使用するものである。例えば、ボケ量の少ないＬＥＤ３乃至ＬＥＤ５は１．６ｍｍ×０．８ｍｍサイズの４０ｍｃｄをものを使用し、ボケ量の大きいＬＥＤ１・ＬＥＤ２・ＬＥＤ６・ＬＥＤ７には１．０ｍｍ×０．５ｍｍサイズの６０ｍｃｄの使用する。
【００４５】
上記のように各ＬＥＤに写し込み光学系のボケに応じた適正な輝度設定をしたものを使用した場合のデータ写し込み状態の例を図６（ｃ）に示す。従来方式で周辺ボケがある状態（図６（ａ））に比べ、周辺部のＬＥＤ１・ＬＥＤ２・ＬＥＤ６・ＬＥＤ７のサイズを小さくしたことにより、各ドットの大きさがほぼ一定となり、写し込まれた文字（データ）の品位が向上しており、さらに、輝度設定を一律にした本発明の第１の実施例の状況（図６（ｂ））と比較しても、各ドットの照度（輝度）ムラがなくなり、写し込まれた文字（データ）の品位が向上しているのがわかる。
【００４６】
該写し込み状態の照度（輝度）ムラに対しては、発光素子であるＬＥＤの輝度を変更する方法以外に、写し込み状態の照度（輝度）が低い発光素子の点灯時間を長くする方法がある。
【００４７】
該点灯時間を長くする制御信号例を図８に示す。図８では、ＬＥＤ点灯サイクル（各ドット点灯後に次のドットを点灯させるまでの時間）をＴｄとした場合、写し込み光学系のピントが最もいい部分に相当するＬＥＤ４は最も短い時間Ｔｄ０（例えば０．２×Ｔｄ）に設定し、次にピントのいいＬＥＤ３及びＬＥＤ５が次に短い時間Ｔｄ１（例えば０．３×Ｔｄ）、続いてＬＥＤ２及びＬＥＤ６がＴｄ２（例えば０．５×Ｔｄ）、そして最もピントが悪い（ボケが大きい）ＬＥＤ１及びＬＥＤ７がＴｄ３（例えば０．７×Ｔｄ）と設定しており、それぞれの点灯時間は  Ｔｄ０＜Ｔｄ１＜Ｔｄ２＜Ｔｄ３  となっている。
【００４８】
このように写し込み時間（ＬＥＤ点灯時間）を各ドットのボケ量に応じて設定することで、各ＬＥＤの輝度ムラ対策となる。但し、該写し込み時間の個別設定に関しては、フィルムの給送速度によっては写し込まれた文字が流れているように見えたり、ドットの一部が繋がったように見える可能性があるため、最長点灯時間を設定（例えば、最長点灯時間＝０．８×Ｔｄとする等）する必要があることを明示しておく。
【図面の簡単な説明】
【００４９】
【図１】本発明第１の実施例におけるカメラの主要部分の回路ブロック図
【図２】本発明第１の実施例におけるカメラの概略構成図
【図３】本発明第１の実施例におけるレリーズスイッチＯＮ時の制御回路２シーケンス
【図４】本発明第１の実施例におけるデータ写し込み用ＬＥＤ群９の点灯制御信号例
【図５】本発明第１の実施例におけるＬＥＤ群９の構成及び写し込み品位例
【図６】データ写し込み品位比較（従来例・本発明第１の実施例・本発明第３の実施例）
【図７】本発明第２の実施例におけるＬＥＤ群９およびマスクの構成及び写し込み品位例
【図８】本発明第３の実施例におけるデータ写し込み用ＬＥＤ群９の点灯制御信号例
【図９】理想的なピント精度の写し込み光学系と周辺ボケのある写し込み光学系での写し込み品位比較例
【符号の説明】
【００５０】
１・・・・・・・・電源電池、２・・・・・・・・制御回路、３・・・・・・・・レリーズスイッチ、
４・・・・・・・・ストロボ手段、
５・・・・・・・測光手段、６・・・・・・・・測距手段、７・・・・・・・・シャッター手段、
８・・・・・・・・フィルム給送手段、８−１・・・・・・・・フィルム位置検出手段（フォトリフレクタ：ＰＲ）、
９・・・・・・・・データ写し込み用発光素子群（ＬＥＤ群）、１０・・・・・・・・表示手段、
Ａ・・・・・・・・アパーチャ、Ｓ・・・・・・・・スプール、
Ｆ・・・・・・・・フィルム、Ｐ・・・・・・・・パーフォレーション、Ｌ・・・・・・・・データ写し込み用光学系、
Ｍ・・・・・・・・メモリー、Ｔ・・・・・・・・タイマー
【図１】
2005140829.tif 000003
【図２】
2005140829.tif 000004
【図３】
2005140829.tif 000005
【図４】
2005140829.tif 000006
【図５】
2005140829.tif 000007
【図６】
2005140829.tif 000008
【図７】
2005140829.tif 000009
【図８】
2005140829.tif 000010
【図９】
2005140829.tif 000011